(57)【特許請求の範囲】
【請求項１】
車室内に取り付けられ、折り畳み可能な収納容器であって、
該収納容器の幅方向両端部に備えられ、前記収納容器が折り畳まれるにあたり折れ曲がって畳まれる側壁を備え、
それぞれの前記側壁は、折り曲げ自在な生地体と、該生地体と重ね合わされた一枚のプレート体と、を有し、
該プレート体中、前記側壁が折れ曲がる際の起点となる部分にはスリットが形成されており、
前記プレート体において、前記スリットの延出方向一端から前記スリットの延出方向に沿って延びた仮想直線と前記プレート体の外縁とが交わる位置に切り欠きが設けられていることを特徴とする収納容器。
【請求項２】
前記収納容器が使用状態にあるとき、前記生地体のうち、前記スリットと対向する部分が前記収納容器の内側で前記スリットを覆っていることを特徴とする請求項１に記載の収納容器。
【請求項３】
前記側壁には、前記切り欠きが設けられた前記外縁を覆う位置に帯状の補強部材が設けられていることを特徴とする請求項１に記載の収納容器。
【請求項４】
前記収納容器が使用状態にあるときに前記収納容器の底部をなす底壁と、
前記収納容器が使用状態にあるときに前記底壁に対して起き上がり、前記底壁の一端部と隣接する第一の立壁と、
前記収納容器が使用状態にあるときに前記底壁に対して起き上がり、前記底壁の他端部と隣接する第二の立壁と、を備え、
前記プレート体には２本の前記スリットが形成されており、
前記側壁のうち、前記第一の立壁に近い側の端部の高さと、前記第二の立壁に近い側の端部の高さとが互いに異なっており、
前記プレート体に形成された２本の前記スリットのうち、前記側壁においてより高い方の端部側にある前記スリットは、低い方の端部側にある前記スリットよりも長いことを特徴とする請求項３に記載の収納容器。
【請求項５】
前記生地体は、ネット状の生地体であることを特徴とする請求項１乃至４のいずれか一項に記載の収納容器。
【請求項６】
前記側壁中の一部分が、前記ネット状の生地体のみで構成されていることを特徴とする請求項５に記載の収納容器。
【請求項７】
前記プレート体は、前記生地体と重ね合った状態で縫い合わされ、
重ね合った状態の前記生地体と前記プレート体を縫い合わせることで形成された縫い目は、前記スリットの脇位置に前記スリットに沿って延出していることを特徴とする請求項１乃至６のいずれか一項に記載の収納容器。
【請求項８】
前記補強部材は、山折りされて前記側壁の縁に跨った状態で配設され、前記側壁の表側及び裏側に縫い付けられていることを特徴とする請求項４に記載の収納容器。
【発明の詳細な説明】
【技術分野】
【０００１】
本発明は、収納容器に係り、特に、車室内に取り付けられ折り畳み可能な収納容器に関する。
【背景技術】
【０００２】
小物等の物品を収納する容器を車室内に配置することは既に知られている。このような収納容器の中には、折り畳み可能となっているものも存在する（例えば、特許文献１参照）。特許文献１に記載の小物収納容器は、シートバックの後面に取り付けられ、不使用時には折り畳まれて格納状態となる。より具体的に説明すると、特許文献１に記載の小物収納容器は、使用時に上向きの開口を形成し、かかる開口を囲む位置に正面部、対向部及び一対の側面部を有する。ここで、一対の側面部は、それぞれ可撓性を有し、各側面部が所定の折り曲げ起点にて折り曲げられると、正面部と対向部とが重なり合って開口を閉じるようになる。
【０００３】
ところで、車両用の収納容器の中には、軽量化等の理由から、側壁が布やネット等の折り曲げ自在な生地体によって構成されているものがある（例えば、特許文献２参照）。仮に特許文献１に記載の小物収納容器の側面部を上記の生地体によって構成すれば、側面部が折り曲げ自在となるため、比較的容易に容器を折り畳むことが可能となる。
【先行技術文献】
【特許文献】
【０００４】
【特許文献１】特開２００８−７４１２２号公報
【特許文献２】特開２００１−２２５７００号公報
【発明の概要】
【発明が解決しようとする課題】
【０００５】
しかしながら、収納容器の側壁を生地体のみで構成すると、当該生地体が折れ曲げ自在であることから、例えば収納容器を使用する際に側壁が意図せずに折れ曲がってしまう可能性がある。収納容器を使用状態のままで安定的に保持するためには、生地体の折れ曲がりを規制する部材（折れ曲がり規制部材）を収納容器の側壁中に設ければよいが、折れ曲がり部材としては、比較的剛性が高い部材であるとよい。このため、特許文献２では、側壁を構成するネットを支持する金属製のネット支持棒を用いている。ただし、側壁中に剛性の高い部材を設けることで側壁が折り曲げ難くなる可能性がある。具体的に説明すると、特許文献２では収納容器を格納する際にネット支持棒を取り外す作業を行うことになっており、収納容器の折り畳みに手間を要し、収納容器の利便性を低下させる虞がある。
【０００６】
そこで、本発明は、上記の問題に鑑みてなされたものであり、その目的は、使用時には物品を収納可能な状態を安定的に保持する一方で、不使用時には容易に折り畳むことが可能な収納容器を提供することにある。
【課題を解決するための手段】
【０００７】
前記課題は、本発明の収納容器によれば、車室内に取り付けられ、折り畳み可能な収納容器であって、該収納容器の幅方向両端部に備えられ、前記収納容器が折り畳まれるにあたり折れ曲がって畳まれる側壁を備え、それぞれの前記側壁は、折り曲げ自在な生地体と、該生地体と重ね合わされた一枚のプレート体と、を有し、該プレート体中、前記側壁が折れ曲がる際の起点となる部分にはスリットが形成されており、前記プレート体において、前記スリットの延出方向一端から前記スリットの延出方向に沿って延びた仮想直線と前記プレート体の外縁とが交わる位置に切り欠きが設けられていることにより解決される。
側壁が生地体とプレート体を重ね合わせて構成されているため、生地体のみで側壁を構成する場合に比べて、側壁の状態を保持し易くなる。すなわち、使用時における収納容器は、物品を収納可能な状態を安定的に保持するようになる。一方で、プレート体にはスリットが形成されており、側壁が当該スリットを折れ曲がり起点として折れ曲がる。これにより、プレート体を側壁中に設けたとしても側壁をスムーズに折れ曲げられるため、不使用時には容易に収納容器を折り畳むことが可能となる。
【０００８】
また、上記の収納容器において、前記収納容器が使用状態にあるとき、前記生地体のうち、前記スリットと対向する部分が前記収納容器の内側で前記スリットを覆っていると、好適である。
上記の構成によれば、スリットが生地体に覆われるので、収納容器内の物品がスリットから抜け出て落下してしまうのを抑制することが可能である。
【０００９】
また、上記の収納容器において、前記側壁には、前記切り欠きが設けられた前記外縁を覆う位置に帯状の補強部材が設けられていると、より好適である。
【００１０】
また、上記の収納容器において、前記収納容器が使用状態にあるときに前記収納容器の底部をなす底壁と、前記収納容器が使用状態にあるときに前記底壁に対して起き上がり、前記底壁の一端部と隣接する第一の立壁と、前記収納容器が使用状態にあるときに前記底壁に対して起き上がり、前記底壁の他端部と隣接する第二の立壁と、を備え、前記プレート体には２本の前記スリットが形成されており、前記側壁のうち、前記第一の立壁に近い側の端部の高さと、前記第二の立壁に近い側の端部の高さとが互いに異なっており、前記プレート体に形成された２本の前記スリットのうち、前記側壁においてより高い方の端部側にある前記スリットは、低い方の端部側にある前記スリットよりも長いと、より一層好適である。
上記の構成によれば、第一の立壁と第二の立壁のうち、より高い立壁に近い方のスリットをより長くすることで、側壁を更にスムーズに折り曲げることが可能となる。
【００１１】
また、上記の収納容器において、前記生地体は、ネット状の生地体であると、さらに好適である。このとき、前記側壁中の一部分が、前記ネット状の生地体のみで構成されているのが望ましい。
上記の構成によれば、側壁を構成する素材としてネット状の生地体を用いているので、収納容器の意匠性が向上し、より軽量化される。さらに、側壁中の一部分が、ネット状の生地体のみで構成されているので、ネット越しに収納容器内の物品を確認することが可能である。
【００１２】
また、上記の収納容器において、前記プレート体は、前記生地体と重ね合った状態で縫い合わされ、重ね合った状態の前記生地体と前記プレート体を縫い合わせることで形成された縫い目は、前記スリットの脇位置に前記スリットに沿って延出していると、尚一層好適である。
上記の構成によれば、スリット周りにおいて生地体がプレート体から離間してしまうのを抑制し、これにより、側壁が良好な外観を呈するようになる。
また、上記の収納容器において、前記補強部材は、山折りされて前記側壁の縁に跨った状態で配設され、前記側壁の表側及び裏側に縫い付けられていると、さらに好適である。
【発明の効果】
【００１３】
本発明の収納容器によれば、使用時には、物品を収納可能な状態で安定的に保持され、不使用時には容易に折り畳むことが可能である。
また、本発明の収納容器によれば、収納容器内の物品がスリットから抜け出て落下してしまうのを抑制することが可能である。
また、本発明の収納容器によれば、収納容器を折り畳む際、２つのスリットを折れ曲がり起点として側壁をスムーズに折り曲げることが可能である。
また、本発明の収納容器によれば、第一の立壁と第二の立壁のうち、より高い方の立壁側にあるスリットをより長くすることで、側壁をよりスムーズに折り曲げることが可能である。
また、本発明の収納容器によれば、意匠性が向上し、より軽量化される。さらに、側壁中の一部分がネット状の生地体のみで構成されていれば、ネット越しに収納容器内の物品を確認することが可能である。
また、本発明の収納容器によれば、スリット周りにおいて生地体がプレート体から離間してしまうのを抑制し、これにより、側壁が良好な外観を呈するようになる。
【図面の簡単な説明】
【００１４】
【図１】本発明の一実施形態に係る収納容器が取り付けられた車両用シート部品を示す図である。
【図２】本発明の一実施形態に係る収納容器の斜視図である。
【図３】図２のＸ−Ｘ断面を示す図である。
【図４】本発明の一実施形態に係る収納容器が折り畳まれている様子を示す図であり、（Ａ）は、折り畳み途中の段階の図であり、（Ｂ）は、完全に折り畳まれた段階の図である。
【図５】本発明の一実施形態に係る収納容器の側端部を示した図である。
【図６Ａ】本発明の一実施形態に係る収納容器中の側壁の構成を示す図であり、補強リボンが取り付けている状態を示す図である。
【図６Ｂ】本発明の一実施形態に係る収納容器中の側壁の構成を示す図であり、補強リボンが取り外された状態を示す図である。
【図７】側壁が折り曲げられている様子を示す図であり、（Ａ）は、折り曲げ前の段階の図であり、（Ｂ）は、折り曲げ途中の段階の図であり、（Ｃ）は、完全に折り曲げられた段階の図である。
【図８】変形例に係る収納容器を示す図であり、図５に対応した図である。
【発明を実施するための形態】
【００１５】
以下、本発明の一実施形態（本実施形態）に係る収納容器について図面を参照しながら説明する。なお、以下の説明において、前後方向とは、収納容器の前後方向であり、収納容器が車室内に取り付けられた状態において車両の走行方向と一致する。また、幅方向とは、収納容器の横幅方向であり、収納容器が車室内に取り付けられた状態において車幅方向と一致する。また、上下方向とは、収納容器の上下方向であり、特に断る場合を除き、収納容器が使用状態にあるときの上下方向を意味する。
【００１６】
ちなみに、以下に説明する実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【００１７】
＜＜本実施形態に係る収納容器の基本構成＞＞
先ず、本実施形態に係る収納容器の基本構成について、図１乃至図５を参照しながら説明する。本実施形態に係る収納容器（以下、収納容器１）は、その内部に小物等を収納するボックス状の容器であり、車室内の所定位置に取り付けられた状態で用いられる。具体的に説明すると、収納容器１は、図１に示すように車両用シートの背部、より厳密には、シートバックを構成するシートバックフレームＳｆ中、パンフレームＰＦの後面上方部に取り付けられる。なお、本実施形態では、収納容器１が後部座席に取り付けられている構成を例に挙げて説明するが、収納容器１の取り付け位置は、特に限定されるものではなく、運転席や補助席であってもよく、あるいは、シート以外の場所（例えば、ドアライニング等）であってもよい。また、車両用シートの側部に取り付けることとしてもよい。
【００１８】
収納容器１は、折り畳み可能に構成されており、使用時には図１に示すように上端に開口１ａを設けた状態となる。使用状態にある収納容器１では、前壁２、後壁３及び一対の側壁５が開口１ａを囲み、底壁４が開口１ａの反対側、すなわち収納容器１の下端に位置している。前壁２、後壁３及び底壁４は、いずれも幾分肉厚に成形された樹脂パネルであり、本実施形態では中空状に成形されている。なお、前壁２、後壁３及び底壁４の材質や形状については特に制限なく、中実状の部品であってもよく、また、樹脂材料以外の材質（例えば、木材や金属）からなることとしてもよい。
【００１９】
次に、収納容器１各部について説明する。底壁４は、図２に示すように、収納容器１が使用状態にあるときに収納容器１の底部、換言すると開口１ａが位置する側とは反対側に位置する。底壁４の壁面のうち、収納容器１が使用状態にあるときに上向きとなる面（以下、上面）は、収納容器１の内部空間に面し、幅方向に長い略矩形状の平面となっている。なお、本実施形態では、底壁４の上面が表皮材によって覆われている。また、同様に、底壁４の壁面のうち、収納容器１が使用状態にあるときに下向きとなる面（以下、下面）及び側壁面についても、同様に表皮材によって覆われている。これにより、収納容器１の意匠性が高められている。ただし、表皮材が設けられていない構成であってもよい。
【００２０】
前壁２は、収納容器１が使用状態にあるときに底壁４に対して起き上がる第一の立壁であり、図２や図３に示すように底壁４の前端部（一端部に相当）と隣接する。すなわち、収納容器１が使用状態にあるとき、前壁２の下端部は、底壁４の前端部と隣り合い、角部（具体的には前側角部Ｃｆ）を形成する。前側角部Ｃｆとは、前壁２の下端部と底壁４の前端部との間に挟まれる空間のことである。また、前壁２の壁面のうち、収納容器１が使用状態にあるときに後向きとなる面（以下、後面）は、収納容器１の内部空間に面し、幅方向に長い略矩形状の平面となっている。なお、前壁２の下端部は、底壁４の前端部とヒンジ結合されており、具体的には、前壁２の下端と底壁４の前端とが可撓性を有する長尺板片状のヒンジ部１ｂにて連結している。
【００２１】
また、収納容器１が使用状態にあるときに前向きとなる面（以下、前面）は、シートバックフレームＳｆとの接合面となっている。すなわち、収納容器１は、前壁２の前面がシートバックフレームＳｆに接合して固定されることで後部座席の背部に取り付けられている。なお、本実施形態では前壁２の前面がボルトやクリップ等によってシートバックフレームＳｆに接合されているが、接合方法については特に制限がなく、その他の方法（例えば、溶接やスナップフィット機構による接合方法）にて接合してもよい。また、前壁２には、ボルトやクリップを挿入するための貫通孔が形成されている一方で、前壁２の後面側には、上記の貫通孔及びこれに挿入されたボルトやクリップを覆い隠すための化粧板（不図示）が取り付けられている。
【００２２】
後壁３は、収納容器１が使用状態にあるときに底壁４に対して起き上がる第二の立壁であり、図２や図３に示すように底壁４の後端部（他端部）と隣接する。すなわち、収納容器１が使用状態にあるとき、後壁３の下端部は、底壁４の後端部と隣り合い、角部（具体的には後側角部Ｃｂ）を形成する。後側角部Ｃｂとは、後壁３の下端部と底壁４の後端部との間に挟まれる空間のことである。後壁３の壁面のうち、収納容器１が使用状態にあるときに前向きとなる面（以下、前面）は、収納容器１の内部空間に面し、幅方向に長い略矩形状の平面となっている。また、後壁３の下端部は、底壁４の後端部とヒンジ結合されており、具体的には、後壁３の下端と底壁４の後端とが可撓性を有する長尺板片状のヒンジ部１ｃにて連結している。さらにまた、本実施形態では、後壁３の前面が表皮材によって覆われている。これにより、収納容器１の意匠性が高められている。ただし、表皮材が設けられていない構成であってもよい。
【００２３】
なお、本実施形態において後壁３の高さは、図３に示すように前壁２の高さよりも低くなっている。ここで、高さとは、前壁２及び後壁３のそれぞれにおいて収納容器１が使用状態にあるときに底壁４から最も離れた部分（頂上部）と底壁４との間の距離のことである。したがって、使用状態にある収納容器１の上端、すなわち、開口端は、後方に向かうほど下がるように傾斜している。
【００２４】
側壁５は、収納容器１の幅方向両端部に備えられ、収納容器１が使用状態にあるときには図２及び３に示すように底壁４の側端部、前壁２の側端部及び後壁３の側端部に取り囲まれる。具体的に説明すると、側壁５の前端部が前壁２の側端部に取り付けられており、側壁５の後端部が後壁３の側端部に取り付けられており、側壁５の下端部が底壁４の側端部に取り付けられている。また、側壁５は、所定の部位を起点にして折れ曲がることが可能であり、収納容器１を折り畳むにあたって折れ曲がって畳まれる。
【００２５】
さらに、側壁５は、展開状態にあるとき（すなわち、収納容器１が使用状態にあるとき）、図３に示すように下側隅部が切り取られた略台形状の形状となる。また、本実施形態では、上述したように後壁３の高さが前壁２の高さよりも低くなっているが、これに対応するように、展開状態にある側壁５の上端は、後方に向かうほど下がるように傾斜している。すなわち、側壁５のうち、前壁２に近い側の端部の高さと、後壁３に近い側の端部の高さとが互いに異なっており、本実施形態では、前者の高さがより高くなっている。ただし、これに限定されず、後壁３に近い側の端部の高さの方がより高くなっていてもよい。
なお、側壁５の形状や構成に関する詳細については、後に詳しく説明する。
【００２６】
次に、図４の（Ａ）及び（Ｂ）を参照しながら収納容器１を折り畳む手順について説明する。収納容器１を折り畳む際には、底壁４を前壁２に近付く方向、換言すると、前側角部Ｃｆがなす角度が小さくなる方向に動かす。同じく、後壁３を底壁４に近付く方向、換言すると、後側角部Ｃｂがなす角度が小さくなる方向に動かす。一方、２つの側壁５は、上記の動きに追従するように折れ曲がり、具体的には図４の（Ａ）に示すように、側壁５の前後方向中央部が内側に倒れ込むように折り畳まれ、最終的には底壁４の上面に折り重なる。そして、側壁５が完全に折り畳まれた時点で、図４の（Ｂ）に示すように、前壁２の後面及び後壁３の前面がそれぞれ底壁４の上面に当接し、かつ、前壁２の上方に後壁３が位置するようになる。
【００２７】
なお、収納容器１を折り畳む過程において、底壁４の側端部の前端部分４ｂが、前壁２の側端部の下端部分２ｂに当接するようになる。ここで、底壁４の側端部の前端部分４ｂとは、収納容器１が使用状態にあるときに前側角部Ｃｆにおいて前壁２と対向する部分であって、それよりも後方に位置する部分に対して僅かに隆起している部分である。また、前壁２の側端部の下端部分２ｂとは、収納容器１が使用状態にあるときに前側角部Ｃｆにおいて底壁４と対向する部分であって、それよりも上方に位置する部分に対して僅かに隆起している部分である。
【００２８】
また、底壁４の側端部のうち、前後方向中央よりもやや前側に位置する部分には、図５に示すように上方に突出した突起４ａが形成されている。一方、前壁２の側端部のうち、上下方向において略中央に位置する部分には、図５に示すように係合穴２ａが形成されている。そして、収納容器１を折り畳む過程において突起４ａが係合穴２ａに係合する。このように突起４ａが係合穴２ａに係合することにより、収納容器１は、折り畳まれた状態で安定的に保持され、所定の展開力が作用した時点で使用状態に復帰するようになる。
【００２９】
なお、係合するとは、２つの部材が所定の力が作用するまで係合状態を保持し得るように係り合うことを意味し、本実施形態では、突起４ａが弾性変形して係合穴２ａに嵌まり込むことである。ただし、係合方法は上記の方法に限定されず、凸部を凹部に対して圧入する方法、鉤爪を縁部や突起等に引っ掛ける方法、あるいは面ファスナー同士を当接させる方法を採用してもよい。
【００３０】
＜＜側壁の詳細構成＞＞
次に、収納容器１の側壁５の詳細構成について図６Ａ、図６Ｂ、図７及び図８を参照しながら説明する。なお、図６Ａは、収納容器１から取り外した状態の側壁５を示し、図６Ｂは、図６Ａに図示した状態から後述の補強リボン７４を更に取り外したときの側壁５を示している。また、図６Ａ及び図６Ｂ中の破線は、縫い目を示している。また、以下の説明中、位置や向きに関する内容は、特に断る場合を除き、収納容器１が使用状態にあるときの内容となっている。
【００３１】
本実施形態に係る側壁５は、折り曲げ自在な生地体と樹脂プレート７２とを重ね合わせて双方を縫い合わせることで構成されている。より具体的に説明すると、本実施形態では、生地体としてネット状の生地体（以下、ネット生地７１）が用いられている。ここで、ネット生地７１は、繊維体を網状に編んで形成されるものであり、その網目は、比較的小さく且つ高密度で形成されている。なお、生地体についてはネット状の生地体に限定されず、例えば、一般的な布製の生地であってもよく、あるいは、薄紙やフィルムシートであってもよい。さらに、本実施形態では、ネット生地７１と樹脂プレート７２とを重ね合わせた状態で両者を縫い合わせているが、これに限定されるものではない。すなわち、ネット生地７１と樹脂プレート７２とを接合させる方法は他にも考えられ、例えば、接着剤を用いて接合してもよく、あるいは、留め具等を用いて接合してもよい。
【００３２】
また、ネット生地７１と樹脂プレート７２とを縫い合わせることで形成された縫い目は、図６Ｂに示すように、樹脂プレート７２の外縁のうち、上端の辺を除く辺（前端の辺、後端の辺及び下端の辺）のそれぞれに沿って延びている。さらに、各縫い目の始端及び終端は、対応する辺の端、すなわち樹脂プレート７２の外縁に至っている。なお、本実施形態では、図６Ａ及び図６Ｂに示すように各縫い目が直線状に延出しているが、これに限定されるものではなく、縫い目が蛇行したり鋸歯状に屈曲していることとしてもよい。
【００３３】
また、図６Ａ及び図６Ｂに示すように、樹脂プレート７２とネット生地７１とが重ね合った状態において、樹脂プレート７２の上端とネット生地７１の上端とは一致している。一方で、ネット生地７１の前端部のうちの上方部分は、樹脂プレート７２の前端よりも前方に幾分はみ出ている。同様に、ネット生地７１の下端部は、樹脂プレート７２の下端よりも下方に幾分はみ出ており、ネット生地７１の後端部のうちの上方部分は、樹脂プレート７２の後端よりも後方に幾分はみ出ている。
【００３４】
樹脂プレート７２は、プレート体に相当し、ネット生地７１に比して著しく高い剛性を有している。なお、樹脂プレート７２の素材については、特に限定されないが、裁断等の加工が容易な材料によって構成されていることが望ましい。また、樹脂プレート７２は、側壁５が展開状態にあるときに側壁５の外形形状と略一致しており、図６Ａ及び図６Ｂに示すように下側隅部が切り取られた略台形状の形状となっている。より詳しく説明すると、本実施形態に係る樹脂プレート７２は、その下側隅部が斜めのカットラインで切り取られたような形状をしている。したがって、収納容器１が使用状態にあり、側壁５が展開状態にあるときには、図５に示すように、前側角部Ｃｆ及び後側角部Ｃｂに、樹脂プレート７２を欠く領域が形成されることになる。ここで、樹脂プレート７２を欠く領域とは、樹脂プレート７２が無い領域（樹脂プレート７２が差し掛かっていない領域）であり、本実施形態では、樹脂プレート７２のみならずネット生地７１をも欠いており、具体的には穴となっている。
【００３５】
また、側壁５は、図６Ａ及び図６Ｂに示すように、他の壁（具体的には、前壁２、後壁３及び底壁４）に取り付けられるための取り付けプレート７３Ａ、７３Ｂ、７３Ｃを備えている。この取り付けプレート７３Ａ、７３Ｂ、７３Ｃは、樹脂材料からなる略矩形状のプレートであり、ネット生地７１の前端部、後端部及び下端部に取り付けられている。より具体的に説明すると、ネット生地７１の下端部、厳密には、樹脂プレート７２とネット生地７１とが重ね合った状態において樹脂プレート７２の下端からはみ出た部分に底壁４用の取り付けプレート７３Ａが取り付けられている。かかる取り付けプレート７３Ａは、その上端部がネット生地７１の下端部と重ね合された状態でネット生地７１に縫い合わされている。なお、本実施形態において、ネット生地７１の下端部は、前後方向に長く伸びており、底壁４用の取り付けプレート７３Ａは、その長手方向が前後方向と平行になった状態でネット生地７１の下端部に重ねられて縫い合わされている。
【００３６】
また、ネット生地７１の前端部、厳密には、樹脂プレート７２とネット生地７１とが重ね合った状態において樹脂プレート７２の前端からはみ出た上方部分に前壁２用の取り付けプレート７３Ｂが取り付けられている。かかる取り付けプレート７３Ｂは、その後端部がネット生地７１の前端部と重ね合された状態でネット生地７１に縫い合わされている。なお、前壁２用の取り付けプレート７３Ｂは、収納容器１が使用状態にあるときに前壁２と底壁４とがなす角度、すなわち前側角部Ｃｆの角度の分だけ底壁４用の取り付けプレート７３Ａに対して傾いた状態でネット生地７１の前端部に縫い合わされている。
【００３７】
また、ネット生地７１の後端部、厳密には、樹脂プレート７２とネット生地７１とが重ね合った状態において樹脂プレート７２の後端からはみ出た上方部分に後壁３用の取り付けプレート７３Ｃが取り付けられている。かかる取り付けプレート７３Ｃは、その前端部がネット生地７１の前端部と重ね合された状態でネット生地７１に縫い合わされている。なお、後壁３用の取り付けプレート７３Ｃは、収納容器１が使用状態にあるときに後壁３と底壁４とがなす角度、すなわち後側角部Ｃｂの角度の分だけ底壁４用の取り付けプレート７３Ａに対して傾いた状態でネット生地７１の後端部に縫い合わされている。
【００３８】
そして、各取り付けプレート７３Ａ、７３Ｂ、７３Ｃは、前壁２、後壁３及び底壁４のうち、対応する壁の側端部に取り付けられている。ここで、取り付けプレート７３Ａ、７３Ｂ、７３Ｃを対応する壁に取り付けるための構造について説明すると、前壁２、後壁３及び底壁４の各々の側端部の中央部分には、図５に図示のカバー部１１０が設けている。このカバー部１１０は、各壁の側端部中の基部１１１に対して着脱自在であり、具体的には基部１１１に対してボルト止めされる。ここで、基部１１１とは、前壁２、後壁３及び底壁４の各々の側端部中、カバー部１１０の厚み分だけ窪んだ部分である。そして、各取り付けプレート７３Ａ、７３Ｂ、７３Ｃは、カバー部１１０と基部１１１とに挟み込まれることで対応する壁に取り付けられる。
【００３９】
具体的に説明すると、基部１１１からカバー部１１０が取り外された状態にあるとき、基部１１１上に取り付けプレート７３Ａ、７３Ｂ、７３Ｃが載置される。その後、基部１１１に載置された取り付けプレート７３Ａ、７３Ｂ、７３Ｃを覆うようにカバー部１１０が取り付けられる。そして、カバー部１１０が基部１１１に対してボルト止めされると、取り付けプレート７３Ａ、７３Ｂ、７３Ｃがカバー部１１０と基部１１１とに挟み込まれるようになり、この結果、対応する壁に取り付けられることになる。なお、取り付けプレート７３Ａ、７３Ｂ、７３Ｃを対応する壁に取り付けるための構造については、上記の構造に限定されず、他の構造を採用することとしてもよい。
【００４０】
そして、前壁２、後壁３及び底壁４に取り付けられた側壁５においては、収納容器１が使用状態にあるときにはネット生地７１がより内側に位置し、樹脂プレート７２がより外側に位置するようになる。
【００４１】
側壁５の構成について引き続き説明すると、図６Ａに示すように各側壁５の外縁には補強用のリボン（以下、補強リボン７４）が配設されている。この補強リボン７４は、帯状の補強部材であり、山折りされて側壁５の縁に跨った状態で配設され、側壁５の表側（収納容器１の外側）及び裏側（収納容器１の内側）に縫い付けられている。
【００４２】
本実施形態では、３つの補強リボン７４が用いられ、そのうちの一つは、側壁５の外縁のうち、上端に位置する辺に沿って設けられている。ここで、上端に位置する辺とは、側壁５の外縁のうち、前壁２用の取り付けプレート７３Ｂと後壁３用の取り付けプレート７３Ｃとの間に位置する辺である。かかる辺に沿って設けられている補強リボン７４は、側壁５の上端に位置し、図６Ａに示すように、前壁２用の取り付けプレート７３Ｂから後壁３用の取り付けプレート７３Ｃまで連続した状態で設けられている。
【００４３】
３つの補強リボン７４中の一つは、側壁５の外縁のうち、前端下方部に位置する辺に沿って設けられている。ここで、前端下方部に位置する辺とは、側壁５の外縁のうち、前壁２用の取り付けプレート７３Ｂと底壁４用の取り付けプレート７３Ｃとの間に位置する辺である。かかる辺に沿って設けられている補強リボン７４は、側壁５の前端下方部に位置し、図６Ａに示すように、樹脂プレート７２の前方下側隅部を覆うように設けられている。
【００４４】
３つの補強リボン７４中の一つは、側壁５の外縁のうち、後端下方部に位置する辺に沿って設けられている。ここで、後端下方部に位置する辺とは、側壁５の外縁のうち、後壁３用の取り付けプレート７３Ｂと底壁４用の取り付けプレート７３Ｃとの間に位置する辺である。かかる辺に沿って設けられている補強リボン７４は、側壁５の後端下方部に位置し、図６Ａに示すように、樹脂プレート７２の後方下側隅部を覆うように設けられている。
【００４５】
側壁５の構成について更に説明すると、側壁５中、樹脂プレート７２と取り付けプレート７３Ａ、７３Ｂ、７３Ｃとの間には隙間が形成されている。この隙間は、収納容器１が使用状態にあるとき、当該収納容器１の内側でネット生地７１により覆われている。これにより、収納容器１が使用状態にあるときに上記の隙間から容器内の物品が脱落してしまうのを抑制することが可能である。また、側壁５のうち、上記の隙間が形成されている部位、すなわち、樹脂プレート７２を欠きネット生地７１のみが存する領域は、側壁５が折り曲がる際の起点（折り曲げ起点）となる。つまり、収納容器１を折り畳むために後壁３及び底壁４を移動させるとき、側壁５は、上記の隙間が形成されている部分を折り曲げ起点とし、他の壁（後壁３や底壁４）に追従して折れ曲がるようになる。
【００４６】
ここで、側壁５が折れ曲がるときの様子について、図７を参照しながら説明する。図７は、側壁５を折り曲げている様子を示す図であり、同図の（Ａ）は、折り曲げ前の段階の図であり、（Ｂ）は、折り曲げ途中の段階の図であり、（Ｃ）は、完全に折り曲げられた段階の図である。なお、図７中の各図では、説明を分かり易くする目的から側壁５を幾分簡略化して図示しており、例えば、取り付けプレート７３Ａ、７３Ｂ、７３Ｃ、補強リボン７４及び縫い目等については図示を省略している。
【００４７】
側壁５は、収納容器１が使用状態にあるときには図７の（Ａ）に図示の状態、すなわち、展開状態にある。ここで、展開状態にある側壁５（厳密には、取り付けプレート７３Ａ、７３Ｂ、７３Ｃを除いた部分）を大きく３つの領域に分け、それぞれ、前方領域５Ｘ、中央領域５Ｙ、後方領域５Ｚと呼ぶこととする。前方領域５Ｘは、側壁５の前方上側隅部から略三角形状に拡がった領域であり、具体的には後述する前側スリット７６よりも前方に位置する領域である。後方領域５Ｚは、側壁５の後方上側隅部から略三角形状に拡がった領域であり、後述する後側スリット７７よりも後方に位置する領域である。中央領域５Ｙは、側壁５のうち、前方領域５Ｘ及び後方領域５Ｚを除いた領域である。
【００４８】
そして、収納容器１を折り畳むとき、側壁５は、前方領域５Ｘ及び中央領域５Ｙの境界に相当する部位、及び、後方領域５Ｚ及び中央領域５Ｙの境界に相当する部位を起点にして折れ曲がる。すなわち、収納容器１を折り畳む際、側壁５は、図７の（Ｂ）に示すように前方領域５Ｘ及び後方領域５Ｚが中央領域５Ｙに折り重なるように折れ曲がる。なお、側壁５を折り曲げる過程において、中央領域５Ｙは、収納容器１の内側に向かって倒伏する。
【００４９】
最終的に収納容器１が完全に折り畳まれると、図７の（Ｃ）に示すように前方領域５Ｘ及び後方領域５Ｚが中央領域５Ｙに折り重なり、かつ、中央領域５Ｙが倒れて底壁４の上面の上に伏した状態となる。以上のように側壁５が折れ曲がることで、収納容器１の折り畳み、換言すると、後壁３及び底壁４の移動が実現される。
【００５０】
ところで、本実施形態に係る側壁５は、ネット生地７１と樹脂プレート７２とを重ね合わせて縫い合わせることで構成されているが、これにより、収納容器１を使用状態のままで安定的に保持することが可能である。分かり易く説明すると、側壁５をネット生地７１のみで構成しようとすると、ネット生地７１自体が折れ曲げ自在となっているので、例えば収納容器１を使用する際に側壁５が意図せずに折れ曲がる可能性がある。これに対して、本実施形態では、比較的剛性が高い樹脂プレート７２が側壁５中に設けられていることで、ネット生地７１の意図しない折れ曲がりを規制することが可能となる。
【００５１】
一方、ネット生地７１に単に樹脂プレート７２を重ね合わせるだけでは、収納容器１を折り畳む時点で側壁５が折れ曲がり難くなる。そこで、本実施形態では、樹脂プレート７２中、側壁５が折れ曲がる際の起点となる部分にスリット７５が形成されている。このスリット７５が形成されていることにより、樹脂プレート７２を側壁５中に設けたとしても側壁５をスムーズに折れ曲げられ、不使用時には容易に収納容器１を折り畳むことが可能となる。
【００５２】
上記のスリット７５について詳しく説明すると、本実施形態では、図６Ａ及び図６Ｂに示すように２本のスリット７５が形成されている。２本のスリット７５のうちの一方は、第一スリットに相当し、樹脂プレート７２において前方領域５Ｘ及び中央領域５Ｙの境界に相当する部位に設けられた前側スリット７６である。この前側スリット７６は、所定方向に長くなるように形成された長穴であり、収納容器１が使用状態にあるとき、前壁２と底壁４とが形成する前側角部Ｃｆに向かって延出している。具体的に説明すると、前側スリット７６は、樹脂プレート７２の下端に対して斜めに傾いており、図６Ｂに示すように、樹脂プレート７２の上端部において前端よりも幾分後方に位置する箇所から樹脂プレート７２の前方下側隅部に向かって延出している。なお、同図に示すように、前側スリット７６の延出方向両端部は、樹脂プレート７２の外縁よりも手前側に位置している。
【００５３】
また、２本のスリット７５のうちの他方は、第二スリットに相当し、樹脂プレート７２において後方領域５Ｚ及び中央領域５Ｙの境界に相当する部位に設けられた後側スリット７７である。この後側スリット７７は、所定方向に長くなるように形成された長穴であり、収納容器１が使用状態にあるとき、後壁３と底壁４とが形成する後側角部Ｃｂに向かって延出している。具体的に説明すると、前側スリット７６は、樹脂プレート７２の下端に対して斜めに傾いており、図６Ｂに示すように、樹脂プレート７２の上端部において後端よりも幾分前方に位置する箇所から樹脂プレート７２の後方下側隅部に向かって延出している。なお、同図に示すように、後側スリット７７の延出方向両端部は、樹脂プレート７２の外縁よりも手前側に位置している。
【００５４】
以上のように本実施形態では、樹脂プレート７２中、側壁５が折れ曲がる際の起点となる部分、すなわち、前方領域５Ｘと中央領域５Ｙとの境界部分、及び、後方領域５Ｚと中央領域５Ｙとの境界部分には、それぞれ、当該境界部分に沿うように延びたスリット７５が形成されている。つまり、比較的剛性が高い樹脂プレート７２を備えた側壁５であっても、前側スリット７６や後側スリット７７が形成された部分では剛性が低くなっているので、各スリット７５を起点としてスムーズに折り曲げることが可能になる。
【００５５】
また、本実施形態では、樹脂プレート７２の折り曲げ起点の個数に対応させて２本のスリット７５が樹脂プレート７２中に形成されていることとした。これにより、樹脂プレート７２を折り曲げる際には各折れ曲がり起点にてスムーズに折り曲げることが可能となる。ただし、スリット７５の個数については、特に限定されず、折り曲げ起点の個数と同じ数だけスリット７５を設けることとしてもよい。
【００５６】
また、前側スリット７６は、収納容器１の前側角部Ｃｆに向かって延出しており、後側スリット７７は、収納容器１の後側角部Ｃｂに向かって延出している。このように各スリット７５が対応する角部に向かって延出するように形成されていれば、当該角部の大きさを小さくさせるように収納容器１を折り畳むとき、各スリット７５を折れ曲がり起点として側壁５をスムーズに折り曲げることが可能となる。
【００５７】
なお、本実施形態において、樹脂プレート７２は、その下側隅部が斜めのカットラインで切り取られたような形状をしているが、各スリット７５は、図６Ｂに示すように上記のカットラインに対して直交するように形成されている。このように各スリット７５が樹脂プレート７２の外縁（具体的には、上記のカットライン）に対して直交していれば、当該各スリット７５を折れ曲がり起点として側壁５を折り曲げることがより一層スムーズに行われるようになる。
【００５８】
また、本実施形態では、前述したように、側壁５のうち、前壁２に近い側の端部の高さが後壁３に近い側の端部の高さよりも高くなっている。一方、側壁５においてより高い方の端部側にあるスリット７５、すなわち、前側スリット７６は、図６Ｂに示すように、低い方の端部側にあるスリット７５である後側スリット７７よりも長くなっている。このように前壁２と後壁３のうち、より高い方の壁に近い方のスリット７５をより長くすれば、側壁５をよりスムーズに折り曲げることが可能となる。より分かり易く説明すると、収納容器１が使用状態にあるとき、側壁５の前端部の高さが後端部の高さよりも高くなっているため、必然的に折れ曲がり起点の長さについても前端側でより長くなることになる。このように側壁５の前端部では折れ曲がり起点がより長くなるので、その分スリット７５をより長く形成することにより、前端側の折れ曲がり起点にて側壁５を折り曲げることを容易に行うことが可能となる。
【００５９】
さらに、本実施形態では、樹脂プレート７２のうち、スリット７５を挟んで互いに反対側に位置する部分（すなわち、前方領域５Ｘ、中央領域５Ｙ及び後方領域５Ｚ）が、スリット７５の延出方向端部と隣接する連結部７２ｒによって連結されている。つまり、本実施形態に係る樹脂プレート７２は、一部材として取り扱うことが可能であり、このため、樹脂プレート７２をネット生地７１に重ねて縫い合わせる際の位置決め等を容易に行うことが可能となる。ただし、これに限定されるものではなく、図８に示すように、スリット７５が樹脂プレート７２の外縁まで達している構成、すなわち、スリット７５を挟んで互いに反対側に位置する部分が互いに分離している構成であってもよい。なお、図８では、説明を分かり易くする目的から側壁５を幾分簡略化して図示しており、例えば、補強リボン７４や縫い目については図示を省略している。
【００６０】
さらにまた、樹脂プレート７２のうち、上記の連結部７２ｒには、図６Ｂに図示したような略半円状の切り欠き７８が形成されている。この切り欠き７８は、スリット７５の延出方向一端からスリット７５の延出方向に沿って伸びた仮想直線と樹脂プレート７２の外縁とが交わる位置に設けられている。かかる切り欠き７８が形成されていることにより、各スリット７５を折れ曲がり起点として側壁５を折り曲げることが益々スムーズに行われるようになる。
【００６１】
また、本実施形態では、図６Ｂに示すように、樹脂プレート７２とネット生地７１とを縫い合わせることで形成される縫い目が、各スリット７５の両脇位置に当該各スリット７５に沿って延出している。このように各スリット７５の両脇位置に縫い目が形成されれば、スリット７５周りにおいてネット生地７１が樹脂プレート７２から離間してしまうのを抑制し、これにより、側壁５が良好な外観を呈するようになる。
【００６２】
また、本実施形態では、図６Ａ及び６Ｂに示すように、収納容器１が使用状態にあるとき、側壁５を構成するネット生地７１のうち、スリット７５と対向する部分が収納容器１の内側でスリット７５を覆っている。換言すると、側壁５中、スリット７５が形成されている部分については、ネット生地７１のみで構成されていることになる。このような構成であれば、収納容器１の意匠性が向上し、また、収納容器１が使用状態にあるときには収納容器１内の物品がスリット７５から脱落してしまうのを抑制することが可能となる。さらに、スリット７５を覆っている生地体がネット生地７１であれば、ネット越しに収納容器１内の物品を確認することも可能となる。
【００６３】
さらにまた、ネット生地７１のうち、スリット７５と対向する部分には、図６Ａ及び図６Ｂに示すように、スリット７５と同じ方向に延出した縫い目が形成されている。かかる縫い目は、スリット７５の中央位置（スリット幅方向における中央位置）を通過するようにスリット７５の延出方向一端から他端に亘って形成され、さらに、側壁５の上端に設けられた補強リボン７４に差し掛かる位置まで延出している。このようにスリット７５の中央位置を通過するように縫い目が形成されていると、当該縫い目を折れ曲がり線として側壁５が折れ曲げるようになる。この結果、側壁５を一段とスムーズに折り曲げることが可能となる。
【符号の説明】
【００６４】
１  収納容器
１ａ  開口
１ｂ，１ｃ  ヒンジ部
２  前壁
２ａ  係合穴
２ｂ  下端部分
３  後壁
４  底壁
４ａ  突起
４ｂ  前端部分
５  側壁
５Ｘ  前方領域
５Ｙ  中央領域
５Ｚ  後方領域
７１  ネット生地
７２  樹脂プレート
７２ｒ  連結部
７３Ａ，７３Ｂ，７３Ｃ  取り付けプレート
７４  補強リボン
７５  スリット
７６  前側スリット
７７  後側スリット
７８  切り欠き
１１０  カバー部
１１１  基部
Ｃｂ  後側角部
Ｃｆ  前側角部
ＰＦ  パンフレーム
Ｓｆ  シートバックフレーム
【図１】
0006049660.tif 000002
【図２】
0006049660.tif 000003
【図３】
0006049660.tif 000004
【図４】
0006049660.tif 000005
【図５】
0006049660.tif 000006
【図６Ａ】
0006049660.tif 000007
【図６Ｂ】
0006049660.tif 000008
【図７】
0006049660.tif 000009
【図８】
0006049660.tif 000010